(57)【要約】【課題】  タッチ式パネルの外装部とＳＷ部の固定に両面テープを使用しているため、部品を交換する際、剥がしづらく再利用する部品を取りだすのが困難な場合があった。再利用するために、両面テープの接着強度をおとすと、接着部に空気が入り、タッチ式パネルの感度が落ちたり、ばらつきが大きくなったりしていた。【解決手段】  パネルカバーとパネルシャーシを両面テープで固定する場合において、パネルカバー側の接着面を鏡面、パネルシャーシ側の面を梨地面とする。ＳＷ部である導光体部の表面は鏡面とする。パネルシャーシ部と基板部の固定も両面テープで固定する場合において、パネルシャーシの基板との接着面は梨地とする。【選択図】  図５
2012240207.tif 000002
【特許請求の範囲】
【請求項１】
点灯と消灯が可能なバックライト用のＬＥＤとタッチスイッチ用のパッドを実装している基板と、前記ＬＥＤをガイドしている複数の導光体と、前記導光体の個々の間に構成しているシャーシと、前記複数の導光体と前記シャーシを覆っている半透明のパネルカバーにおいて、前記シャーシと前記パネルカバー、前記導光体とパネルカバーは両面テープで接着しており、前記シャーシの接着面は梨地であり、前記導光体の接着面は鏡面であり、前記パネルカバーの接着面は鏡面であることを特徴とする操作装置。
【請求項２】
前記基板と前記シャーシの接着面において、前記シャーシ側の接着面は梨地であり、基板側の接着面は鏡面であることを特徴とする請求項１の操作装置。
【請求項３】
請求項１または請求項２の操作装置と、画像読取部及び／又は画像記録部と備えた画像装置。
【発明の詳細な説明】
【技術分野】
【０００１】
本発明は、スキャナ、プリンタ、ファクシミリ、複写機、複合機などの画像読取部または画像記録部を有する画像装置の操作部に関するものである。
【背景技術】
【０００２】
画像装置として、フラットベッドタイプのスキャナをインクジェットプリンタ等の記録装置の上に載せた複合機が知られている。たとえば図１４、１５に示すように、原稿圧板部９６の一部に操作部９１１、ＬＣＤ部９１２を設けている。また、ＬＣＤ部９１２はヒンジ部９１２ａを中心に開閉できるように構成されており、使用しないときには閉じて、コンパクトに収めるような構成になっている。
【先行技術文献】
【特許文献】
【０００３】
【特許文献１】特開平９−１８７６０９号公報
【発明の概要】
【発明が解決しようとする課題】
【０００４】
しかしながら、このような従来の画像読取記録装置の操作部には、次のような課題が残されていた。
【０００５】
タッチ式パネルの外装部とＳＷ部の固定に両面テープを使用しているため、部品を交換する際、剥がしづらく再利用する部品を取りだすのが困難な場合があった。
【０００６】
再利用するために、両面テープの接着強度をおとすと、接着部に空気が入り、タッチ式パネルの感度が落ちたり、ばらつきが大きくなったりしていた。
【課題を解決するための手段】
【０００７】
本発明の画像読取装置及び記録装置の操作部は、
パネルカバーとシャーシ部を両面テープで固定する。
パネルカバー側の接着面を鏡面、シャーシ側の面を梨地面とする。
ＳＷ部である導光体部の表面は鏡面とする。
シャーシ部と基板部の固定も両面テープで固定する。
シャーシ部の基板との接着面は梨地とする。
【発明の効果】
【０００８】
本発明の画像読取装置及び記録装置の操作部では、組立後、部品交換の必要が生じた場合の作業であるパネルカバーの剥がし作業において、両面テープは表面が粗いシャーシ面がはがれ、両面テープはパネルカバー側に残る。また、基板とシャーシの接着面においても、両面テープは表面が粗いシャーシ面がはがれ両面テープは基板側に残る。これにより、シャーシの再利用が容易とすることができる。
【０００９】
また、ＳＷ部である導光体表面は鏡面なので、空気層が入ることなく、しっかりとした接着を確保することができるので、性能を落とすことはない。
【図面の簡単な説明】
【００１０】
【図１】本発明の実施例に係る画像読取記録装置の斜視図
【図２】本発明の実施例に係る画像読取記録装置の原稿圧板部開放状態の斜視図
【図３】本発明の実施例に係る画像読取記録装置の上面電源ＯＦＦ状態図
【図４】本発明の実施例に係る画像読取記録装置の上面電源ＯＮ状態図
【図５】本発明の実施例に係る画像読取記録装置のパネル部の構造図
【図６】本発明の実施例に係る画像読取記録装置の＋−キーの断面図
【図７】本発明の実施例に係る画像読取記録装置の中央キーの断面図
【図８】本発明の実施例に係る画像読取記録装置のパネル基板配置図
【図９】本発明の実施例に係る画像読取記録装置の電源ＯＮ時のＬＣＤ、キー表示図
【図１０】本発明の実施例に係る画像読取記録装置のコピーモード選択時のＬＣＤ、キー表示図
【図１１】本発明の実施例に係る画像読取記録装置のコピー中のＬＣＤ、キー表示図
【図１２】本発明の実施例に係る画像読取記録装置のスキャナユニット配置図
【図１３】本発明の実施例に係る画像読取記録装置の記録部の斜視図
【図１４】従来例に係る画像読取記録装置の斜視図
【図１５】従来例に係る画像読取記録装置の原稿圧板開放状態の斜視図
【図１６】本発明の実施例に係る画像読取記録装置のパネルシャーシ部表面の斜視図
【図１７】本発明の実施例に係る画像読取記録装置のパネルシャーシ部裏面の斜視図
【発明を実施するための形態】
【００１１】
（第１の実施の形態）
以下、図面を参照して本発明の実施形態を具体的に説明する。なお、各図面を通して同一符号は同一又は対応部分を示すものである。また、参照番号にアルファベットを付した符号は、アルファベットを付さない番号のみの部位を構成する下位の部位を示すものである。図１は本発明の一実施形態に係る画像読取記録装置の斜視図であり、図２は図１の画像読取装置の圧板部を開放した図。図１及び図２において、画像読取記録装置は、パネル部１、スキャナ部２、記録部３、電気基板部（不図示）及びカードスロット部４を備えている。なお、本実施形態に係る画像読取記録装置は、記録部を有することから、画像読取記録装置と称することもできる。
【００１２】
まず、パネル部１について説明する。
【００１３】
図１において、パネル部１は全体としてスキャナ部２に装着されている。また、スキャナが読み取る開閉可能な原稿カバーの上面に配置されている。パネル部１は、回動可能なＬＣＤユニットを設けた構成を有し、パネルカバーキー部１１には各種キー１３が設けられている。各種キーの機能は例えばカラーコピースタートキー、モノクロコピースタートキー、ストップキー、電源キーなどで、静電容量式の操作キーが設けられている。静電容量式のキーは、人の指をタッチ面に接触することにより、静電容量の変化を検知し、キーを入力せしめるものである。ＬＣＤユニット１２には、不図示のＬＣＤモジュールと電気基板が内蔵されており、その表面には透明部材のＬＣＤ窓１２ａが設けられている。
【００１４】
ＬＣＤユニット１２は、パネルカバー１１に対し、ヒンジ１２ｂを中心に回動可能に装着され、ユーザが操作することができる。
【００１５】
図３は、本発明の上面図であり、電源がＯＦＦされている状態であり、上記の操作部はこの状態では見えない状態になっている。また、図４はすべてのキー部を点灯表示させたものであり、キー操作可能な状態でもある。図４において、電源キー１１１は、静電容量式のキーではなく、タクトスイッチなどの機械式接点のキーで構成されており、電源ＯＦＦの状態から、ＯＮとすることが出来る。他に静電容量式のキーとして、イニシャルの状態に戻す、戻るキー１１０１ｂ、１つ前の状態に戻す、戻るキー１１０１ｃ、ＬＣＤ１２の画面上のボタンを選択するファンクションキー１１０１ａ、ＬＣＤ１２の画面上のカーソルを操作する４つの矢印キー１１０１ｆ、ＬＣＤ画面上の同じくカーソルを操作するジョグキー１１０１ｄ、決定するＯＫキー１１０１ｅ、コピー枚数などを設定する＋−キー１１０１ｇ、モノクロコピーをスタートさせるモノクロスタートキー１１０１ｈ、カラースタートキーをスタートさせるカラースタートキー１１０１ｉ、動作を停止させるストップキー１１０１ｊがそれぞれ独立的に照光するようにしてＬＥＤをＯＮ、ＯＦＦすることにより、表示、非表示させることが出来る。
【００１６】
図５はパネル部１の構造を示した図で、図６は図4の＋−キー１１０１ｇの断面Ａの構造を示した図である。パネルカバー１１０１と  ＬＥＤなどの光を導光、照光する導光体１１０３と、ＬＥＤ１１０６ｇを実装しているパネル基板１１０５があり、接着体１１０２は、パネルカバー１１０１と導光体１１０３を接着している。パネルカバー１１０１は、アクリル、ＡＢＳなどのプラスチックの材料でできているが、透明、もしくは半透明で光が透過するようになっている。パネルカバー１１０１の接着面は鏡面仕上げでできており、接着体１１０２に対して、しっかり付くようになっている。また、導光体１１０３も同じく、光を通すため、透明のプラスチックの材料でできている。接着体１１０２は、一般的な両面テープなどでも可能であるが、間に空気が入ると、誘電率が小さくなり、静電容量の検知が難しくなるので、十分に密着することが求められる。したがって、導光体１１０３のパネルカバー１１０１との接着面は鏡面仕上げとなっている。パネルシャーシ１１０６は導光体１１０３と上側の同一面で、パネルカバー１１０１と同様に接着するように構成されている。ただし、パネルシャーシ１１０６の接着体１１０２との接着面は、梨地加工を施してあり、比較的剥がしやすいようになっている。
【００１７】
図１６はパネルシャーシ１１０６の上面図であり、斜線部に梨地加工が施してある。基板接着体１１０４は導光体１１０３とパネル基板１１０５を接着しており、接着体１１０２と同様の機能を求められる。特にパネル基板１１０５には、パネル基板スルーホール１１０５ｔが設けてあり、接着の際に空気層が中に入らないように押し付けることにより、空気が抜ける構造になっている。また、パネル基板１１０５にはキーの直下に検知電極１１０５ｇがあり、人間の指とこの検知電極とでコンデンサを形成し、静電容量の変化を検知する回路でキーとして認識させている。パネルシャーシ１１０６は、同じく、導光体１１０３と下側の同一面でパネル基板１１０５と接着するように構成されている。ただし、パネルシャーシ１１０６の接着体１１０４との接着面は前記の梨地加工を施してあり、比較的剥がしやすいように構成されている。
【００１８】
図１７はパネルシャーシ１１０６の下面図であり、斜線部に梨地加工が施してある。パネルカバー１１０１の裏面部には黒印刷１１０１ｋが印刷されており、光を通さないようになっている。また、抜き印刷部１１０１ｍには‘＋’、‘−’の文字が抜き印刷を施してあり、パネルカバー１１０１は透明な材料なので、この部分だけ、下からの光が透過するように構成されている。パネル基板１１０５には、＋−キーＬＥＤ１１０６ｇが実装しており、これが点灯することにより、＋−キー導光体１１０３ｇに光が矢印Ｃの方向から入り，＋−キー導光体１１０３ｇの底面にある拡散部１１０３ｇ−１に光が当たることにより光が矢印Ｄの方向に拡散し、抜き印刷部１１０１ｍから外部に光が放出される。これにより、文字‘＋’‘−’が外部から認識できるようになる。パネルカバー１１０１は、半透過性のグレースモーク材等で作ると、照光していないときには文字をより見えなくすることができ、照光、消灯のコントラストを大きくすることができる。
【００１９】
図７は図４の矢印キー１１０１ｆ、ジョグキー１１０１ｄ、ＯＫキー１１０１ｅの断面を示した図である。パネルカバー１１０１には、ＯＫキー凹部１１０１ｅ、ジョグキー凹部１１０１ｄがある。図８に示すように導光体１１０３は各キーに対応した下部に配置しており、図７上では、ＯＫ−キー導光体１１０３ｈ、矢印キー導光体１１０３ｇ、ジョグキー導光体１１０３ｆが配置されている。また、各導光体の下にはパネル基板１１０５があり、各導光体に対応するＯＫキー検知電極１１０５ｅ、矢印キー検知電極１１０５ｆ、ジョグキー検知電極１１０５ｄがある。これらの各キーは、＋−キーと同様、接着体１１０２、基板接着体１１０４で接着されている。この構成において、凹部のあるＯＫキー１１０１ｅと、ジョグキー１１０１ｄは、その間にある矢印キー１１０１ｆに比べて指と、各検知電極との距離が短くなっており、その分静電容量は大きくなり、キーとして検知しやすくなっている。使用頻度を考えると、ＯＫキー１１０１eと、ジョグキー１１０１ｄは、矢印キー１１０１ｆより多いので、たとえば、各キーの境界上をタッチされた場合には、ＯＫキー１１０１ｅとジョグキー１１０１ｄの方が入る確率が高くなっている。
【００２０】
次に実際のキー操作に関して説明する。図９は電源キー１１１が押された後のＬＣＤ１２とパネルカバー１１０１の状態について表している。ＬＣＤ１２には、Ｓｃａｎ、Ｃｏｐｙ、設定の３つのアイコンが表示されており、パネルカバー１１０１上の表示は、ホームキー１１０１ｂ、矢印キー１１０１ｆ、ＯＫキー１１０１ｅが表示されている。この状態で矢印キー１１０１ｆをタッチすることにより、画面上のカーソル１２dが左右に動かすことができる。たとえば、コピーを行いたい場合はカーソル１２ｄをコピーの下に移動させ、ＯＫキー１１０１ｆをタッチすると、図１０のコピーモードの状態になる。前記のキー以外のキーは消灯されており、その部分に指が触れても操作できないし、反応しないようになっている。これにより、原稿をセットする際に、パネル部１を一部として構成している原稿圧板部６を操作しても、不要部にふれて誤動作させることが最小限になるようにしている。
【００２１】
図１０では、ＬＣＤ１２はコピーの設定画面を表示している。この状態において矢印キー上下１１０１ｆ−１を操作することにより、ＬＣＤ１２上の紙種設定１２ｅを変えることができる。また、矢印キー左右１１０１ｆ−２を操作することにより、コピー濃度１２ｆを動かすことができ、濃度設定を変えることができる。＋−キー１１０１ｇを操作することにより、コピー枚数１２ｇを変えることができる。ＬＣＤ上のプレビュー表示１２ｈ、各種コピー表示１２ｉ、詳細設定表示１２ｊの各表示をさせるときは、それぞれの下部にあるファンクションキー１１０１ａを操作することにより表示させることが出来る。以上のような設定をした後、実際のコピーをスタートする際には、モノクロコピーキー１１０１ｈ、もしくはカラーコピーキー１１０１ｉを操作することにより、スキャナ部２のガラスに置かれた原稿のコピーが開始し、図１１の状態に変化する。また、各スタートキーを操作する前にホームキー１１０１ｂ、もしくは戻るキー１１０１ｃを操作すると図９の状態に戻すことが出来る。
【００２２】
図１１はコピーをしているときの状態を示しており、ストップキー１１０１ｊ以外のキーは消灯している。この状態で、ストップキー１１０１ｊ以外はタッチしても操作できない。したがって、厚い原稿など、原稿ガラス２３に押し付ける場合にでも、手でパネルカバー１１０１の大部分に触れても不用意にキーが入ることはない。また、コピーを中止したい場合はストップキー１１０１ｊに触れることで中止することが出来る。
【００２３】
また、いずれの状態においても、一定時間操作しない状態で放置しておくと、ＬＣＤ１２および、パネルカバー１１０１はすべて消灯し、図３のような状態になり、省電力となる。この状態から、通常モードに復帰させるにはパネルカバー１１０１のいずれかのキーの部分に触れることで復帰できるような構成となっている。
【００２４】
次に、スキャナ部２について説明する。図２において、原稿は原稿台であるガラス２３の上面に裏向きにセットされる。ガラス２３はカバー１２５によりスキャナフレーム１２０（図１２参照）に上から抑えて組み付けられている。ガラス２３上の原稿の浮きを抑えるための原稿圧板部６には圧着シート６８が取り付けられ、反射原稿を読み取るために構成するものである。これらが組み付けられた原稿圧板部６は、ヒンジ１２４を介して、スキャナフレーム１２０の一端部に取り付けられている。原稿圧板部６には、圧板ヒンジ６７a,６７ｂが取り付けてあり、原稿圧板６自体が回転可能であり、同時に、スキャナ部２の穴に上下可動で。厚みのあるブック原稿にも対応している。
【００２５】
図１２は図２のスキャナ部２においてガラス２３及びカバー１２５を外してスキャナ内部の構造がわかるようにした図である。図１２において、スキャナ部２のＣＩＳ読取キャリッジ２４は、図示の左端の位置から右端の位置のまでの間でスキャン移動可能に案内支持されている。スキャナ部２の内部構成部品は、すべてがスキャナフレーム１２０に取り付けられている。原稿の画像を読取る読取手段であるＣＩＳ読取キャリッジ２４は、スキャナフレームの軸部２５に沿って案内されて往復移動する。また、ＣＩＳ読取キャリッジ２４は、図示しないバネでガラス２３に押圧されており、スペーサ１２１がガラスに接触しながら、移動する。ＣＩＳ読取キャリッジ２４は、駆動モータ１２２を駆動源として、駆動ギア部１２３で減速され、タイミングベルト２６を介して駆動される。タイミングベルト２６は駆動ギア部１２３の反対側に配設されたプーリ１２４掛けられている。こうして、コピーするとき、あるいはＰＣからの指令でスキャン動作をするときに、ＣＩＳ読取キャリッジ２４が矢印Ｅの方向に駆動され、これに同期してガラス２３を介して原稿の画像が読取られる。
【００２６】
次に、記録部３について説明する。図１３は記録部３を示す斜視図であり、３０１は積載された記録シートを1枚ずつ分離して送り出すシート自動給送装置。３０２はシート搬送ローラ、３０３はピンチローラで、シート自動給送装置から1枚ずつ分離給送されたシートはシート搬送ローラ３０２とピンチローラ３０３に挟持され、プラテン３０４に送り込まれる。３０５は排紙ローラで、シートは排紙ローラ３０５と拍車(不図示)に挟持されて記録装置外に排出される。３０６は記録ヘッド、３０７はインクタンク、３０８はキャリッジ、３０９はガイドシャフト、３１０はガイドレール、３１１は駆動ベルト。シートＳがプラテン３０４上を通過する時、キャリッジ３０８がキャリッジモータにより駆動ベルト３１１を介して、走査方向の駆動力を伝達される。そのとき、下ガイドレール３０９および上ガイドレール３１０にガイドされて、走査方向に往復動作し、搭載された記録ヘッド３０６から、記録信号に従ってインクがシートＳに吐出されることによって、記録が行われる。
【００２７】
なお、本実施形態では、記録部３における記録手段として、吐出口から記録媒体（記録紙）へインクを吐出して記録を行うインクジェット記録ヘッドを使用する場合を例に挙げている。このようなインクジェット記録方式の中でも、インク吐出を行わせるために利用されるエネルギーとして熱エネルギーを発生する手段（例えば電気熱変換体やレーザ光等）を備え、熱エネルギーによりインクの状態変化を生起させる方式のものは、記録の高密度化及び高精細化が達成できる点で好ましい。その代表的な構成や原理については、例えば、米国特許第４７２３１２９号明細書、同第４７４０７９６号明細書に開示されている基本的な原理を用いるものが好ましい。
【００２８】
本発明は、実施例で説明したとおり、スキャナ、プリンタ、ファクシミリ、複写機、複合機などの画像読取部または画像記録部を有する装置の画像読取センサを搭載して走査するキャリッジ及び記録ヘッド搭載して走査するキャリッジに関する操作部に利用することができる。
【符号の説明】
【００２９】
１・・・パネル部
２・・・スキャナ部
３・・・記録部
６・・・原稿圧板部
１１・・・パネルカバーキー部１１
１１０１・・・パネルカバー
１１０２・・・接着体
１１０３・・・導光体
１１０４・・・基板接着体
１１０５・・・パネル基板
１１０６・・・パネルシャーシ
１１１  ・・・電源キー
１２・・・ＬＣＤユニット
【図１】
2012240207.tif 000003
【図２】
2012240207.tif 000004
【図３】
2012240207.tif 000005
【図４】
2012240207.tif 000006
【図５】
2012240207.tif 000007
【図６】
2012240207.tif 000008
【図７】
2012240207.tif 000009
【図８】
2012240207.tif 000010
【図９】
2012240207.tif 000011
【図１０】
2012240207.tif 000012
【図１１】
2012240207.tif 000013
【図１２】
2012240207.tif 000014
【図１３】
2012240207.tif 000015
【図１４】
2012240207.tif 000016
【図１５】
2012240207.tif 000017
【図１６】
2012240207.tif 000018
【図１７】
2012240207.tif 000019